(57)【特許請求の範囲】
【請求項１】
造営材に埋設される照明器具であって、
一面が開口した箱型に形成され、前記開口に対向する天板と、挿通孔とを有する器具本体と、
前記挿通孔に設けられ、筒状に形成されて、挿通された電線を保持する保持部材と、
一面側が前記天板に空間を介して対向するように配置される基台と、
前記電線の一端が接続され、前記基台の他面側に配置される端子台と、
光源を有し、前記基台の他面側に配置される光源ユニットと、
前記端子台を介して前記電線から電力が供給され、前記光源ユニットに点灯電力を供給し、前記基台と前記光源ユニットとに挟まれる領域に設けられる電源ユニットとを備え、
前記基台は、上板及び前記上板の両側から下方に延出する側壁で構成され、内部に前記端子台が取り付けられた収容部を有し、
前記光源ユニットは、下面に前記光源が取り付けられ、上面に前記電源ユニットが取り付けられた取付部材を有し、
前記光源ユニットは、前記電源ユニットが前記上板と前記取付部材の前記上面との間に挟まれて前記収容部に収容されるように、前記基台に取り付けられ、
前記挿通孔は、前記造営材の外面の法線方向から見て前記光源ユニットの投影範囲外に設けられる
ことを特徴とする照明器具。
【請求項２】
前記基台は、前記光源ユニットから照射される光を反射する反射部材を有する
ことを特徴とする請求項１に記載の照明器具。
【請求項３】
前記保持部材は、前記造営材の外面の法線方向から見て、前記基台の投影範囲内に設けられる
ことを特徴とする請求項１または２に記載の照明器具。
【発明の詳細な説明】
【技術分野】
【０００１】
本発明は、照明器具に関し、特に電線から光源用の電力を供給する照明器具に関する。
【背景技術】
【０００２】
従来例として、特許文献１記載の照明器具を例示する。特許文献１に記載の照明器具は、天井などの造営材に埋め込まれて取り付けられる照明器具であって、器具本体と、灯体と、点灯装置と、端子台とを備える。器具本体の上面の中央部には、外部電源に接続された電源線を器具本体内に引き込むための電源孔が設けられている。電源孔から引き込まれた電源線は、端子台に接続されて、点灯装置に電力を供給する。
【０００３】
そして、点灯装置および端子台が設けられた灯体が器具本体に取り付けられる場合、灯体は、器具本体に設けられている被引掛部に引掛部が引掛けられることで器具本体に保持される。
【先行技術文献】
【特許文献】
【０００４】
【特許文献１】特開２０１１−６０７１８号公報
【発明の概要】
【発明が解決しようとする課題】
【０００５】
ところで、特許文献１記載の照明器具では、電源孔が器具本体に設けられていることで、造営材の表面側の空間（照明空間）と裏面側の空間が繋がってしまい、造営材の裏面側から塵や埃などが電源孔を通って照明空間に入ってしまうおそれがある。さらに、このような照明器具は、薄型化や組み立て易さが要求されている。
【０００６】
本発明は、上記事由に鑑みてなされており、薄型に形成されかつ組み立てが容易であって、照明空間の気密性を高めることができる照明器具を提供することを目的とする。
【課題を解決するための手段】
【０００７】
本発明の照明器具は、造営材に埋設される照明器具であって、一面が開口した箱型に形成され、前記開口に対向する天板と、挿通孔とを有する器具本体と、前記挿通孔に設けられ、筒状に形成されて、挿通された電線を保持する保持部材と、一面側が前記天板に空間を介して対向するように配置される基台と、前記電線の一端が接続され、前記基台の他面側に配置される端子台と、光源を有し、前記基台の他面側に配置される光源ユニットと、前記端子台を介して前記電線から電力が供給され、前記光源ユニットに点灯電力を供給し、前記基台と前記光源ユニットとに挟まれる領域に設けられる電源ユニットとを備え、前記基台は、上板及び前記上板の両側から下方に延出する側壁で構成され、内部に前記端子台が取り付けられた収容部を有し、前記光源ユニットは、下面に前記光源が取り付けられ、上面に前記電源ユニットが取り付けられた取付部材を有し、前記光源ユニットは、前記電源ユニットが前記上板と前記取付部材の前記上面との間に挟まれて前記収容部に収容されるように、前記基台に取り付けられ、前記挿通孔は、前記造営材の外面の法線方向から見て前記光源ユニットの投影範囲外に設けられることを特徴とする。
【発明の効果】
【０００８】
本発明の照明器具は、薄型に形成されかつ組み立てが容易であって、照明空間の気密性を高めることができるという効果がある。
【図面の簡単な説明】
【０００９】
【図１】本実施形態に係る照明器具の実施形態を示すＸ１−Ｘ２断面矢視図である。
【図２】本実施形態に係る照明器具の基台を示す正面図である。
【図３】本実施形態に係る照明器具を示す一部破断図である。
【図４】本実施形態に係る照明器具の内部を示す底面図である。
【図５】本実施形態に係る照明器具の要部を示す拡大図である。
【図６】本実施形態に係る照明器具のＸ１−Ｘ２断面を示し、一部省略した分解図である。
【発明を実施するための形態】
【００１０】
以下、本発明に係る照明器具の実施形態について、図面を参照して詳細に説明する。なお、以下の説明で、特に断りが無い限り、図１に示す向きにおいて、上下左右の方向を規定する。さらに、図１の紙面に垂直な方向を前後方向とし、手前を前、奥を後と規定して説明する。ここでいう上下方向は、天井材（造営材）１００の外面の法線方向である。
【００１１】
本実施形態の照明器具１は、図１に示すように、天井材１００に埋込配設される器具本体２と、光源（ＬＥＤ（発光ダイオード））４１１を有する光源ユニット４と、光源ユニット４が取り付けられる基台３とを備える。照明器具１は、器具本体２に保持される基台取付部材２５と、外部電源からの電線７が接続される端子台６と、端子台６を介して電力が供給され、点灯電力を光源ユニット４に供給する電源ユニット５とをさらに備える。照明器具１は、光源ユニット４から照射された光を拡散するパネルユニット２４と、保持部材８とをさらに備える。
【００１２】
器具本体２は、板金に曲げ加工を施すことで天板２１と、天板２１の周縁から垂直に延出する側板２２とで構成されて一面に開口２７を有する前後方向に長尺な箱型に形成される。器具本体２の天板２１には、吊ボルト１０１を通すためのボルト孔２０が前後方向に沿った両端において左右方向の中心に設けられる（図４参照）。天板２１には、挿通孔２３が左右方向の右側または左側のどちらか一方の側（図１では右側）に設けられる。そして、挿通孔２３には、保持部材８が設けられる。外部電源に接続される電線７は、保持部材８を通って器具本体２内に引き込まれる。
【００１３】
基台３は、図２に示すように、板金に曲げ加工を施すことでＵ字状に形成されて長尺かつ矩形の板状に形成される上板３１１と、上板３１１の左右両端から下方向に垂直に延出する一対の側板３１２とで構成される収容部３１を備える。基台３は、側板３１２の先端（下端）から左右方向に互いに離れる方向に延出する鍔部３２と、一対の鍔部３２のそれぞれの先端から延出する反射部材３３と、反射部材３３のそれぞれの先端から上方向に向かって突出する突片３４とをさらに備える。上板３１１の前後方向における中央部分には、電線７を通して収容部３１に引き込むための基台通線孔４２４が設けられている（図５参照）。
【００１４】
一対の反射部材３３のそれぞれは、下方に向かうに連れて左右方向に互いに離れるように形成され、光源ユニット４が照射する光を下方（室内１２０側）へ反射するために、下側（互いに向かい合う面）に鏡面加工が施される。なお、室内１２０は、本実施形態の照明器具１が照射する照射空間を示す（図１参照）。
【００１５】
基台取付部材２５は、図１、図３、および図４に示すように、板金などの材料によって、矩形の板状に形成される平板２５１（図１および図３参照）を備える。基台取付部材２５は、平板２５１の一端であって、平板２５１から垂直に折り曲げられて形成される第１接続片２５２（図４参照）と、一端と対向する平板２５１の他端に、平板２５１から垂直に折り曲げられて形成する第２接続片２５３（図４参照）とを有する。第１接続片２５２と第２接続片２５３は、互いに反対の方向に曲げ加工され、左右方向から見てＳ字状に形成される。第１接続片２５２は、器具本体２の前側と後側にそれぞれ天板２１に２つのねじ２５４と対応するナット２５５を用いて取り付けられる。また、基台３は、第２接続片２５３にねじ２５６とナット２５７とを用いて上板３１１に取り付けられる（図５参照）。なお、基台取付部材２５は、左右方向から見てＳ字状に形成されなくてもよく、例えばＵ字状などでもよい。第１接続片２５２および第２接続片２５３は、ねじ止め以外の方法、例えば溶着してそれぞれが取り付けられてもよい。
【００１６】
端子台６は、図４および図５に示すように、直方体に形成され、上板３１１の下面に取り付けられる。端子台６には、天井材１００から保持部材８を介して、器具本体２内に引き出された電線７が接続される（図１参照）。端子台６は、接続線６１の一端に接続される。接続線６１の他端は、電源ユニット５に接続可能なコネクタ６２に接続されている。
【００１７】
電源ユニット５は、図５に示すように、ＬＥＤ４１１の点灯電力を生成するために必要な回路部品（例えば、トランジスタやコンデンサ）が実装されている電源基板と、電源基板を収納するための収納ケースとを備える。電源ユニット５は、例えばねじを用いて光源ユニット４に取り付けられる。また、電源ユニット５は、コネクタ６２が接続されることで、電力が供給される。
【００１８】
光源ユニット４は、光源（ＬＥＤ（発光ダイオード））４１１が実装されるＬＥＤ基板４１と、ＬＥＤ基板４１が取り付けられる取付部材４２と、ＬＥＤ基板４１を覆うようにして取り付けられるカバー部材４３とを備える。ＬＥＤ基板４１は、前後方向に長尺な矩形の板状に形成されたプリント基板であって、ＬＥＤ基板４１の下面には複数のＬＥＤ４１１が前後方向に沿って実装されている。
【００１９】
取付部材４２は、板金に曲げ加工を施すことで、Ｕ字状に形成され、前後方向に長尺な矩形の板状に形成された底面４２１と、底面４２１の左右方向における両端から上方向（底面４２１と垂直）に延出する一対の側面４２２とで構成される。側面４２２のそれぞれの先端には、互いに離れる方向に突出する円弧形状に形成される先端部４２３が前後方向に亘って設けられている。
【００２０】
カバー部材４３は、拡散性を有する材料、例えば、乳白色のアクリル樹脂によって、上面が開口する長尺状に形成される。カバー部材４３は、左右方向において、両端側から中央側に行くほど下側への突出量が大きくなるような凸レンズ形状の拡散面４３１を有する。また、カバー部材４３には、左右方向における両端のそれぞれに、基台３の収容部３１の開口の端縁と重なる延出部４３２が設けられている。また、カバー部材４３の左右方向において、延出部４３２のそれぞれの内側には、上方に突出する突壁部４３３が前後方向に亘って設けられている。突壁部４３３のそれぞれの先端には、内向きに突出する突部４３４が設けられている。
【００２１】
取付部材４２の上面には、第１係止ばね４５と、第１係止ばね４５が組み付けられた第１係止金具４４が取り付けられる。第１係止ばね４５は、線ばねをコイル状に巻き回して形成されて基端部４５１と基端部４５１の両端から互いに離れる方向に延設された一対の腕部４５２，４５３とを有する。第１係止金具４４は、板金に曲げ加工を施すことで板状に形成されて左右方向に配設される金具本体４４１と、第１係止ばね４５を保持し、腕部４５２を係止するためのばね保持部４４２とを有する。
【００２２】
基台３には、第１係止ばね４５の腕部４５３を係止するための係止部３５が取り付けられている。係止部３５は、上板３１１に取り付けるための取付片３５１と、第１係止ばね４５の腕部４５３を係止するための係止片３５２とを有し、前後方向から見てＵ字状に形成される。係止部３５は、取付ねじ３５３を用いて基台３に取り付けられる。
【００２３】
パネルユニット２４は、図１に示すように、透光性を有する材料によって形成され、器具本体２の開口２７を閉塞するように配設されるパネル２４１を備える。パネルユニット２４は、パネル２４１の周縁を挟んで保持する枠部２４２と、パネル２４１の左右両端から上方向に突出する一対の側壁２４３とをさらに備える。一対の側壁２４３の先端（上端）のそれぞれでは、取付部２４４が側壁２４３に設けられた孔に引掛けられるなどして取り付けられる。さらに、取付部２４４は、側壁２４３にねじ２４８を用いてねじ止めされて固定される。取付部２４４の上側には、線ばねが巻き回されて形成される第２係止ばね２４６が設けられる。第２係止ばね２４６は、一対の腕部２４７を有する。
【００２４】
器具本体２には、第２係止ばね２４６を保持する第２係止金具２６が左右方向に対向する側板２２のそれぞれにおいて前端側と後端側の内面に設けられる。第２係止金具２６は、図３に示すように、左右方向から見て、凸型の板状に形成され側板２２にねじ止めされて取り付けられる（図１参照）。第２係止金具２６のそれぞれは、器具本体２の左右方向の中心に向かって延出する矩形の板状に形成される一対の引掛片２６１が設けられている（図４参照）。パネルユニット２４は、第２係止ばね２４６の一対の腕部２４７のそれぞれが対応する引掛片２６１に引掛けられて器具本体２に取り付けられる。
【００２５】
ところで、本実施形態の照明器具１は、クリーンルームや食品工場など、室内１２０に埃や塵が入り込むことを好まない環境下に設置される。そこで、器具本体２は、図１に示すように、挿通孔２３に保持部材８を配設して、天井裏１１０と室内１２０とを空間的に遮断し、天井裏１１０から室内１２０に向かって埃や塵が入り込まないように構成される。挿通孔２３は、光源ユニット４の右側、かつ基台３の反射部材３３の上側に設けられている。
【００２６】
保持部材８には、例えばケーブルグランドが使用される。保持部材８は、筒状に形成される本体８１と、内周面に雌ねじを有し本体８１の一端の外周面に螺合されるキャップ８２と、本体８１の他端側であって、内周面に雌ねじを有し、本体８１を天板２１に固定するためのナット８３とを備える。本体８１の外周面には、キャップ８２に螺合可能な雄ねじと、ナット８３に螺合可能な雄ねじが設けられる。保持部材８は、キャップ８２が器具本体２内（天板２１の下側）に配置されるように、かつ本体８１の他端側が器具本体２の外側（天井裏１１０側）になるように器具本体２に配設される。保持部材８は、本体８１の他端側が器具本体２の外側でナット８３に螺合されることで、器具本体２に固定される。保持部材８は、本体８１の内部に電線７を挿通させてキャップ８２を本体８１に螺合することで、電線７と本体８１の内周面との間の隙間が狭くなるように構成される。したがって、本実施形態の照明器具１は、天井裏１１０と室内１２０とを空間的に遮断することができ、照明空間である室内１２０の気密性を高めることができる。
【００２７】
そして、挿通孔２３が上下方向から見て光源ユニット４の投影範囲外に設けられていることで、保持部材８もまた、光源ユニット４の投影範囲外に配設される。本実施形態の照明器具１は、上述のように構成されるので、上板３１１が保持部材８の下端よりも上側に配設されることが可能である。したがって、照明器具１は、保持部材８が上板３１１の上部に設けられる場合と比較して、薄型に形成されることが可能となる。
【００２８】
また、挿通孔２３が上下方向から見て、基台３の反射部材３３の上側に設けられていることで、保持部材８は、基台３の投影範囲内に配設されている。つまり、保持部材８は、天板２１と基台３の間に配設される。さらに、電線７は、天板２１と基台３との間に引き回されて端子台６に接続される。本実施形態の照明器具１は、上述のように構成されるので、電線７および保持部材８がＬＥＤ４１１からの照射を妨げない。さらに、照明器具１では、下方向（室内１２０側）から見て、保持部材８および電線７が基台３に隠れて見えないので、デザイン性が向上する。
【００２９】
照明器具１の組み立て手順について図６を参照して説明する。なお、以下に説明する組み立て手順は一例であって、これに限定されない。
【００３０】
作業者は、保持部材８を器具本体２の内側からキャップ８２が下方（内側）になるように挿通孔２３に挿通し、器具本体２の外側にでている本体８１の上側にナット８３を締め付けて、保持部材８を器具本体２の天板２１に固定する。次に、作業者は、天井裏１１０に配線された電線７を保持部材８に挿通して器具本体２の内側に引き出して、電線７を保持部材８に固定するためにキャップ８２を締め付ける。そして、作業者は、天井材１００に設けられた埋込孔１１１に天板２１が天井裏１１０に入り込むように器具本体２を配設し、天井裏１１０に設けられた吊ボルト１０１をボルト孔２０に挿通してナット１０２を締め付ける。
【００３１】
さらに、作業者は、基台取付部材２５を器具本体２に取り付け、端子台６が予め取り付けられている基台３を基台取付部材２５に取り付ける。このとき、電線７は、基台３の上側に引き回されて基台通線孔４２４に通され、端子台６に接続される（図４参照）。そして、作業者は、電源ユニット５が予め取付部材４２の上面に取り付けられている光源ユニット４を、基台３に取り付ける。電源ユニット５は、上板３１１と光源ユニット４の取付部材４２の上面とに挟まれるように、収容部３１に収容される。このとき、金具本体４４１の左端が基台３の側板３１２に設けられた孔に挿入され、金具本体４４１の先端が側板３１２の当該孔に係止されることで光源ユニット４は、基台３に吊り下げられる。さらに、作業者は、第１係止ばね４５を係止部３５に引っ掛けて、光源ユニット４を基台３に取り付ける。最後に、作業者は、パネルユニット２４を、パネル２４１が器具本体２の開口２７を閉塞するように、一対の第２係止ばね２４６のそれぞれを対応する引掛片２６１に引掛けて器具本体２に取り付ける（図１参照）。本実施形態の照明器具１において、作業者は上述のように照明器具１を組立てることができ、電線７によって組立作業が阻害されずに、容易に光源ユニット４を基台３に取り付けることが可能である。また、本実施形態の照明器具１は、電線７が基台３の上側に引き回されているので、作業者は、電線７の配線の確認を容易に行うことができる。
【００３２】
なお、挿通孔２３は、天板２１に設けられる必要はなく、上下方向から見て光源ユニット４の投影範囲外であって、基台３の投影範囲であればよく、側板２２に設けられてもよい。
【００３３】
本実施形態の照明器具１は、天井材（造営材）１００に埋設される照明器具である。照明器具１は、一面が開口した箱型に形成され、開口２７に対向する天板２１と、挿通孔２３とを有する器具本体２を備える。照明器具１は、挿通孔２３に設けられ、筒状に形成されて、挿通された電線７を保持する保持部材８と、一面側が天板２１に空間を介して対向するように配置される基台３とをさらに備える。照明器具１は、電線７の一端が接続され、基台３の他面側に配置される端子台６と、光源４１１を有し、基台３の他面側に配置される光源ユニット４とをさらに備える。照明器具１は、端子台６を介して電線７から電力が供給され、光源ユニット４に点灯電力を供給し、基台３と光源ユニット４とに挟まれる領域に設けられる電源ユニット５をさらに備える。挿通孔２３は、天井材１００の外面の法線方向（上下方向）から見て光源ユニット４の投影範囲外に設けられる。
【００３４】
本実施形態の照明器具１は、上述のように構成されるので、薄型に形成され、かつ組立が容易であって、照明空間（室内１２０）の気密性を高めることができる。
【００３５】
本実施形態の照明器具１において、基台３は、光源ユニット４から照射される光を反射する反射部材３３を有することが好ましい。
【００３６】
本実施形態の照明器具１が上述のように構成されると、室内１２０側に、より効率良く照射することが可能である。
【００３７】
本実施形態の照明器具１において、保持部材８は、天井材１００の外面の法線方向から見て、基台３の投影範囲内に設けられることが好ましい。
【００３８】
本実施形態の照明器具１が上述のように構成されると、電線７および保持部材８がＬＥＤ４１１からの照射を妨げない。さらに、照明器具１では、下方向（室内１２０側）から見て、保持部材８および電線７が基台３に隠れて見えないので、デザイン性が向上する。
【符号の説明】
【００３９】
１  照明器具
１００  天井材（造営材）
２  器具本体
２１  天板
２３  挿通孔
２７  開口
３  基台
３３  反射部材
４  光源ユニット
４１１  光源
５  電源ユニット
６  端子台
７  電線
８  保持部材
【図１】
0006653470.tif 000002
【図２】
0006653470.tif 000003
【図３】
0006653470.tif 000004
【図４】
0006653470.tif 000005
【図５】
0006653470.tif 000006
【図６】
0006653470.tif 000007